(57)【特許請求の範囲】
【請求項１】
加入者線が接続される1対のライン端子を有し、該加入者線に接続された端末装置の状態を検出する加入者回路において、該回路は、
前記1対のライン端子に接続され、前記加入者線の1対のライン端子間を短絡または開放する第1のスイッチ手段と、
前記1対のライン端子を通して前記加入者線に定電圧を供給する定電圧供給手段と、
該定電圧供給手段を前記1対のライン端子に選択的に接続する第2のスイッチ手段と、
前記1対のライン端子のいずれかと前記定電圧供給手段との間に挿入され、前記加入者線に流れる電流をモニタし、該モニタした電流の微分値を算出する電流モニタ手段と、
第1および第2のスイッチ手段を制御する制御手段とを含み、
該制御手段は、第1および第2のスイッチ手段を制御して前記1対のライン端子の間を短絡させた後、開放するとともに、前記定電圧供給手段を前記1対のライン端子に接続させ、
前記電流モニタ手段は、前記定電圧供給手段が前記1対のライン端子に接続された後の電流の立上りにおける微分値と立下りにおける微分値との差を検出し、該差によって前記端末装置の状態を判定することを特徴とする加入者回路。
【請求項２】
請求項1に記載の回路において、該回路はさらに、
前記1対のライン端子を通して前記加入者線に給電する電源供給手段と、
前記1対のライン端子の間の電圧を検出する電圧モニタ手段とを含み、
前記制御手段は、第1および第2のスイッチ手段を制御して、前記1対のライン端子の間を、第1の所定の時間、短絡させた後、開放し、再び前記1対のライン端子の間を、第1の所定の時間より短い第2の所定の時間、短絡させた後、開放し、
前記電圧モニタ手段は、前記第1の所定の時間の短絡後の開放においてモニタした電圧を積分し、さらに前記第2の所定の時間の短絡後の開放においてモニタした電圧を積分して、両積分値の差を検出し、異なる長さの2つの第1の所定の時間について前記差を求めることによって前記端末装置の状態を判定することを特徴とする加入者回路。
【請求項３】
請求項1に記載の回路において、前記判定される端末装置の状態は、電話機または容量付モジュラジャックと切離し状態の切分け機能付保安器とであることを特徴とする加入者回路。
【請求項４】
請求項2に記載の回路において、第1の所定の時間は、100ミリ秒ないし200ミリ秒の間、および1秒以上であり、第2の所定の時間は数ミリ秒以下であり、前記判定される端末装置の状態は、前記加入者線の断線と容量付モジュラジャックと電話機または切分け機能付保安器とであることを特徴とする加入者回路。
【請求項５】
1対の加入者線に接続された端末装置の状態を検出する方法において、該方法は、
前記1対の加入者線の間を短絡させた後、開放するとともに、定電圧を該1対の加入者線に供給する第1の工程と、
該1対のライン端子に前記定電圧が供給された後の電流の立上りにおける微分値と立下りにおける微分値との差を検出する工程と、
該差によって前記端末装置の状態を判定する工程とを含むことを特徴とする端末装置の状態を検出する方法。
【請求項６】
請求項5に記載の方法において、該方法はさらに、
前記1対の加入者線の間を、第1の所定の時間、短絡させた後、開放する工程と、
前記開放の後、前記1対の加入者線の間の電圧をモニタして積分する工程と、
前記1対の加入者線の間を、第1の所定の時間より短い第2の所定の時間、再び短絡させた後、開放する工程と、
前記再度の開放の後、前記1対の加入者線の間の電圧をモニタして積分する工程と、
前記積分された2つの値の差を検出する工程とを含み、
異なる長さの2つの第1の所定の時間について前記工程を実行して前記積分値の差を求めることによって前記端末装置の状態を判定することを特徴とする端末装置の状態を検出する方法。
【発明の詳細な説明】
【０００１】
【発明の属する技術分野】
本発明は、加入者回路、たとえば、交換機の加入者回路系の試験回路および方法に関するもので、とくに加入者端末の接続状態を切分け可能な加入者回路および方法に関するものである。
【０００２】
【従来の技術】
交換機の加入者回路系においては、システムの接続状態を検出して、断線等の異常個所の特定識別を行う際に、簡易で経済的な方法が要請されている。従来、この方法として、時定数の異なる複数の媒体を識別することにより、その媒体をある程度まで識別し、また断線の有無を検出する方法が1996年電子情報通信学会通信ソサイエティ大会論文、B-562、森江他「複数の断線個所切り分け可能な加入者線断線試験法の検討」で提案されている。この文献による従来の試験方法を図3および図4を参照して説明する。
【０００３】
この試験方法は、交換システムに接続される加入者端末側の媒体の内部インピーダンス特性すなわち時定数が媒体の種類により相違していることを利用するものである。図3を参照してこの提案の構成を説明すると、加入者回路系に加入者端末400が接続され、これは一般に、内部インピーダンスとして抵抗402およびキャパシタ404が直列接続された２端子網406と等価的に考えられる。２端子網406は、たとえば電話機TEL、容量付モジュラジャックCMJおよび／または切分け機能付保安器6PTなどの媒体である。
【０００４】
たとえば、これらの媒体のうち2つ、すなわち媒体ＡおよびＢの時定数がτ1およびτ2であるとする。媒体ＡまたはＢにおいて、キャパシタＣと抵抗Ｒによる等価回路の接続点408の電位をそれぞれVn1またはVn2とする。これらの媒体ＡまたはＢは、加入者線108を介して加入者回路500のライン端子110AAおよび110ABにわたって接続されている。加入者回路500の電源供給回路(VBB) 504は、ライン端子110AAおよび110ABに接続され、内部抵抗(R1) 506を有している。また、スイッチ(SW1) 502が加入者回路ライン端子110AAおよび110ABの間に接続されている。なお、端子110ABは地気電位508に接続されている。
【０００５】
図4(A)に示すように、試験開始初期の期間Twc1においては、スイッチ502が開放されているので、加入者回路500の負荷である媒体ＡまたはＢのキャパシタＣと抵抗Ｆの接続点408の電圧は、加入者回路500の電源電圧VBBに保持されている。いま、スイッチ502を短絡すると、接続点408における対接地電位は、キャパシタＣの蓄積電荷の放電に伴い、媒体に応じた時定数τ1もしくはτ2にて減少してゆく。一定時間Twd1の間、ライン端子110AAおよび110ABを短絡したのちスイッチ502を開放すると、接続点408における電位は、放電時間Twd1の間に対応する媒体の時定数τ1またはτ2に従って放電した後の残留電荷による電位(ほとんど0ボルト)を初期値として再び電源電圧VBBに向かって上昇し始める。すなわち、媒体ＡまたはＢ、および加入者線108が充電され始める。この残留電荷による電位の値は、媒体の時定数τ1もしくはτ2に依存する。そのときの放電充電の様子は、図4(B)「電圧Ｖ」に示すようになる。
【０００６】
図4において、符号S1およびS2は、スイッチ開放後の残留電圧から電源電圧VBBまでの充電電圧の積分値を概念的に示す。図4に期間Twc1、Twd1、Twc2およびTwd2で示すように、スイッチ502の充電／短絡を２回繰り返し、短絡時間Twd1およびTwd2の値を被試験媒体ＡまたはＢの放電時定数に応じた適当な値に設定することにより、積分充電電圧S1およびS2の値に差を生ずるようにすることができる。
【０００７】
いま第1回の短絡時間Twd1を100mS≦Twd1≦200mS(ミリ秒)に設定し、第2回の短絡期間Twd2を数mS程度とすれば、加入者線108自身の等価インピーダンスは他の負荷媒体に比較して無視できるくらい小さく、その時定数は数μS程度である。したがって、加入者線108が断線の場合は、その時定数は非常に小さいため、積分充電電圧はS1≒S2となり、その他の媒体（電話機TEL、容量付モジュラジャックCMJ、切分け機能付保安器6PT）と断線との区別が可能である。ある例では、これらの媒体の内部インピーダンスは、電話機の場合で抵抗分0〜7.5kΩ、容量分0.25〜3μFであり、また容量付モジュラジャックの場合では、抵抗分100kΩ、容量分0.27μF、さらに切分け機能付保安器の場合、抵抗分510kΩ、容量分0.68μF程度の値である。それぞれの時定数τは次のようになる。すなわち、電話機の場合、τtel＝0〜7.5kΩ×0.25〜3μF＝0〜22.5mSとなる。容量付モジュラジャックの場合にはτcmj＝100kΩ×0.27μF＝27mS、また切分け機能付保安器の場合、τ6pt＝510kΩ×0.68μS＝347mS程度である。
【０００８】
これに対して、第1回の短絡期間Twd1≧1S(秒)に設定すれば、媒体が切分け機能付保安器の時の積分電圧S1およびS2の差は、媒体が他の電話機や容量付モジュラジャックである場合に比較して大となり、他との識別、すなわち加入者線の断線および切分け機能付保安器と、電話機および容量付モジュラジャックとの識別が可能である。断線の場合は勿論、抵抗分∞、容量分0と考えてよい。そこで、スイッチ502の上述の2種類の短絡時間Twd1について上述の測定を繰り返すことにより、加入者線の断線と、切分け機能付保安器と、電話機または容量付モジュラジャックとの間の識別が可能である。
【０００９】
【発明が解決しようとする課題】
しかしながら、このような従来の加入者線の接続状態を検出する構成では、加入者回路の電源供給回路504における内部抵抗506の大きさが100kΩ程度ある。一方、切分け機能付保安器が保安器制御にて切離し状態の場合、内部抵抗が20kΩ、容量が5.4μF程度である。このために、切分け機能付保安器が切離し状態の場合の時定数と容量付モジュラジャックまたは電話機の接続されている場合の時定数とで、ほとんど差が生じない。したがって、従来技術では、電圧積分値S1とS2の差分により切分け機能付保安器（切離し状態）と電話機または容量付モジュラジャックとを識別することは困難であった。
【００１０】
本発明は、加入者線に接続されている切分け機能付保安器（切離し状態）と電話機または容量付モジュラジャックなどとの間の時定数の差が大きくない場合であっても、従来は困難であったそれらの識別が可能な加入者回路、とくに加入者回路系の試験回路および方法を提供することを目的とする。
【００１１】
【課題を解決するための手段】
本発明によれば、加入者線が接続される1対のライン端子を有し、加入者線に接続された端末装置の状態を検出する加入者回路は、1対のライン端子に接続され加入者線の1対のライン端子間を短絡または開放する第1のスイッチ手段と、1対のライン端子を通して加入者線に定電圧を供給する定電圧供給手段と、定電圧供給手段を1対のライン端子に選択的に接続する第2のスイッチ手段と、1対のライン端子のいずれかと定電圧供給手段との間に挿入され、加入者線に流れる電流をモニタし、このモニタした電流の微分値を算出する電流モニタ手段と、第1および第2のスイッチ手段を制御する制御手段とを含み、制御手段は、第1および第2のスイッチ手段を制御して1対のライン端子の間を短絡させた後、開放するとともに、定電圧供給手段を前記1対のライン端子に接続させ、電流モニタ手段は、定電圧供給手段が前記1対のライン端子に接続された後の電流の立上りにおける微分値と立下りにおける微分値との差を検出し、この差によって端末装置の状態を判定する。
【００１２】
本発明によれば、加入者回路はさらに、1対のライン端子を通して加入者線に給電する電源供給手段と、1対のライン端子の間の電圧を検出する電圧モニタ手段とを含み、制御手段は、第1および第2のスイッチ手段を制御して、1対のライン端子の間を、第1の所定の時間、短絡させた後、開放し、再び1対のライン端子の間を、第1の所定の時間より短い第2の所定の時間、短絡させた後、開放し、電圧モニタ手段は、前記第1の所定の時間の短絡後の開放においてモニタした電圧を積分し、さらに前記第2の所定の時間の短絡後の開放においてモニタした電圧を積分して、両積分値の差を検出し、異なる長さの2つの第1の所定の時間について前記差を求めること前記差によって前記端末装置の状態を判定する。
【００１３】
本発明によればまた、1対の加入者線に接続された端末装置の状態を検出する方法は、1対の加入者線の間を短絡させた後、開放するとともに、定電圧を1対の加入者線に供給する第1の工程と、1対のライン端子に定電圧が供給された後の電流の立上りにおける微分値と立下りにおける微分値との差を検出する工程と、この差によって端末装置の状態を判定する工程とを含む。
【００１４】
さらに本発明による方法はさらに、1対の加入者線の間を、第1の所定の時間、短絡させた後、開放する工程と、この開放の後、1対の加入者線の間の電圧をモニタして積分する工程と、1対の加入者線の間を、第1の所定の時間より短い第2の所定の時間、再び短絡させた後、開放する工程と、この再度の開放の後、1対の加入者線の間の電圧をモニタして積分する工程と、この積分された2つの値の差を検出する工程とを含み、異なる長さの2つの第1の所定の時間について前記工程を実行して前記積分値の差を求めることによって端末装置の状態を判定する。
【００１５】
【発明の実施の形態】
以下、添付図面を参照して、本発明による加入者線に接続される媒体の状態を識別する回路の実施例を詳細に説明する。図1は本発明の実施例における加入者回路系の試験回路の構成を示すブロック図である。図2は、図1に示す実施例の加入者回路におけるスイッチのオンオフ・タイミング制御を説明するタイムチャートである。
【００１６】
本実施例の加入者回路系の試験システムは、たとえば、電話交換機の加入者回路200において、その1対のライン端子110Aおよび110Bは、加入者線108に接続され、さらに後者の遠端側に配設された端末装置すなわち加入者端末400に接続されている。加入者端末400は一般に、内部インピーダンスとして抵抗402およびキャパシタ404が直列接続された２端子網406と等価的に考えられる。２端子網406は、たとえば電話機TEL、容量付モジュラジャックCMJおよび／または切分け機能付保安器6PTなどの媒体である。勿論本発明は、これらの特定の媒体や数に限定されない。
【００１７】
加入者回路200は、加入者線108や加入者端末400に直流電源VBBを供給する電源供給回路204を含む。電源供給回路204は等価的に、直流電圧源206と内部抵抗208との直列接続とみなすことができる。さらに、定電圧回路230がスイッチ(SW2) 210を介して電源供給回路204に並列に接続されている。この実施例では、定電圧回路230が別個に設けられているが、加入者回路200に本来配設されている給電回路を利用してもよい。そのようにすれば、回路構成を増すことなく本発明による試験機能を実現することができる。
【００１８】
スイッチSW2は、図示のように２個のオンオフ・スイッチ260および262により構成され、スイッチ260および262はそれぞれ、定電圧回路230の端子264および266と電源供給回路204の両端子との間に直列に挿入されている。換言すれば、定電圧回路230がスイッチ210を介して電源供給回路204に並列に接続されている。なお、通常、直流電源206の正側端子240は接地され、加入者線108へのライン端子110Aからは負の供給電圧が出力される。また本実施例では、加入者回路200の端子110Bは接地されているが、接地せずフローティングで使用することを制限するものではない。
【００１９】
加入者回路200のライン端子110Aおよび110Bの間には、図示のようにスイッチ(SW1) 202および電圧モニタ(V) 222が並列に接続されている。スイッチ202はオンオフ・スイッチである。スイッチ202がオン(閉成)した場合は、加入者回路200のライン端子110Aおよび110Bの間が短絡され、加入者回路200に加入者線108を介して接続されている加入者端末400や加入者線108の放電時定数に応じて放電電流が加入者回路200に流入する。電圧モニタ222は、加入者回路200のライン端子110Aおよび110Bの間のライン電圧を監視する。電圧モニタ222は、電圧を積分する機能も有し、その積分値を記憶する。
【００２０】
また、電源供給回路204の接地側端子240とライン端子110Bとの間には電流モニタ(A) 220が接続され、これは加入者回路200の負荷電流を監視する。電流モニタ220は、その内部を具体的に図示しないが、電流微分回路を有し、電流モニタ220を流れる電流の微分値を検出して記憶するとともに、後述するように、この記憶した微分値をあらかじめ設定された閾値と比較し、その大きさを判定する機能を有する。本実施例ではこのように、電流モニタ220が接地線側に挿入されているが、このようにせず、高電圧側の端子110Aに接続してもよい。
【００２１】
本実施例の加入者回路200は制御回路250を含み、これは、制御信号252および254をそれぞれスイッチ202および210へ供給するスイッチ制御回路である。制御信号252および254は、それぞれスイッチ202および210のオンオフを制御する制御信号であり、そのオンオフ時間幅は、加入者端末400において検出すべき特定の注目媒体の種類に応じて所定の値に設定される。この設定値については、本装置の動作説明に関連して後述する。
【００２２】
本実施例では、定電圧回路230をスイッチ210によりオンオフする構成としているが、このようなスイッチ回路を設けないで、たとえば、制御回路250により定電圧回路230の出力状態を制御してこれを高／低インピーダンスとすることにより、スイッチ210と等価に機能させてもよい。その場合には、スイッチ210を省略することもできる。
【００２３】
加入者線108には、前述のような各種の媒体が状況に応じて接続される可能性がある。各媒体は、従来技術について説明したように、それぞれ充放電時定数を決める内部等価インピーダンスを有する。加入者線108自体も固有の内部インピーダンスを有しているが、この等価インピーダンスは加入者端末400に関連する媒体406に比較して無視できる程度に小さく、たとえば線長1kmで時定数15μS(マイクロ秒)程度である。
【００２４】
以上のように構成された実施例の動作を図2に示す制御タイムチャートを参照して説明する。図2は各種媒体のうちある特定の媒体についての動作タイミングを例示したものである。同図(A)において波形SW1は、スイッチ202のオンオフ状態を示すもので、制御回路250における設定に応じて制御信号252により制御される。同図(B)波形SW2は、スイッチ210のオンオフ状態を示すもので、スイッチ202と同様、あらかじめ制御回路250において設定された制御信号254に従ってオンオフ制御される。
【００２５】
同図の横軸、すなわち時間軸における期間Twd1、Twd2およびTwd3はスイッチ202がオンされている時間を示し、それ以外の時間、すなわちTwc1、Twc2、Twc3およびTwc4ではスイッチ202がオフ(開放)である。時間Twc4ではまた、スイッチ210がオンされている。同図(C)において、波形「モニタ電圧」は、上述の媒体406について内部等価キャパシタＣが充放電することによって電圧モニタ222で検出されるライン端子110Aおよび110Bの間の電圧波形を示したものである。なお、これらの図において、説明の複雑化を避けるため、波形の過渡的な状態は図示を省略し、理想的な形で描かれている。また、ラインには、火花消去などの過渡現象抑圧回路(図示せず)が設けられている。
【００２６】
さて、期間Twc1は試験開始時の状態であって、加入者回路200においてスイッチ202および210ともオフであり、加入者回路200より加入者線108を経由して端末400に電力が供給される。これによって、端末400の媒体406における内部キャパシタＣに電荷が充電され、定常状態ではキャパシタＣの両端の電圧は、実質的に電源供給電圧VBBに等しくなっている。
【００２７】
制御回路250は、時刻t1においてスイッチ202をオンすると、そのときの端末400における媒体406の持つ放電時定数に従ってキャパシタＣの電荷が放電される。時間Twd1では、電圧モニタ222の電圧検出出力は0ボルトである。時間Twd1の間、短絡が継続したのち、制御回路250は、時刻t2においてスイッチ202をオフする。このとき端末400のキャパシタＣの電荷は放電され、そのキャパシタＣの両端電圧もほぼ0ボルトとなっている。時刻t2においてスイッチ202がオフされると、加入者回路200の電源供給回路204より端末400の媒体406へ充電が開始されるが、その立上り特性は、前述のように媒体406の有する時定数により異なる。図2では、時間Twc2において注目媒体406が再び電源電圧VBBまで充電される。
【００２８】
次に制御回路250は、時刻t3において再びスイッチ202をオンすると、電圧モニタ222の検出電圧は再び0ボルトとなる。このときも期間Twd1のときと同様、媒体406の電荷はその媒体の有する時定数に応じて放電する。
【００２９】
制御回路250は、時刻t4において再度スイッチ202をオフとすると、媒体406は再び充電を開始する。本実施例では、スイッチ202がオンしている時間Twd2は、前述の時間Twd1に比較して短く設定されている。したがって、注目媒体406からの放電が十分完了する以前にスイッチ202がオフされると、その時、キャパシタＣには、残留電荷により0ではないある値になることもある。その場合は、電圧モニタ222において検出される電圧値があるレベルになる。時間Twc3において、再び媒体406に電荷が充電されて、モニタ202の測定電圧は電圧値VBBに復元する。
【００３０】
図2において、注目媒体406の時間Twc2における充電積分電圧値が概念的にS1で示され、また時間Twc3における充電積分電圧値がS2で示されている。これにより、従来例について説明したように、期間Twd1とTwd2の値を適切に設定することにより、媒体406が切分け機能付保安器または電話機もしくは容量付モジュラジャックのいずれであるか、または加入者線108の断線であるかの識別をすることができる。
【００３１】
より詳細には、第1回の短絡時間Twd1を100mS≦Twd1≦200mSに、また第2回の短絡期間Twd2を数mS程度に設定する。そこで、加入者線108が断線の場合は、その時定数は非常に小さいため、積分充電電圧はS1≒S2となり、その他の媒体（電話機TEL、容量付モジュラジャックCMJ、切分け機能付保安器6PT）と断線との区別が可能である。
【００３２】
これに対して、第1回の短絡期間Twd1≧1Sに設定すれば、媒体が切分け機能付保安器の時の積分電圧S1およびS2の差は、媒体が他の電話機や容量付モジュラジャックである場合に比較して大となる。したがって、加入者線の断線および切分け機能付保安器と、電話機および容量付モジュラジャックとの識別が可能である。このように、スイッチ202を上述の2種類の短絡時間Twd1について閉成することにより、加入者線の断線と、切分け機能付保安器と、電話機または容量付モジュラジャックとの間の識別が可能である。
【００３３】
さて、制御回路250は、時刻t5において再度スイッチ202をオンする。このとき電流モニタ220に流れる電流は、図2(D)に示すように、定常状態で電源204の電源電圧VBBをその内部抵抗R1で除した値VBB/R1に実質的に等しい。スイッチ202を閉じている期間、すなわち時間Twd3の値は、本実施例では、注目媒体406が十分に放電する時間、例えば1S以上に設定されている。そこで制御回路250は、時間Twd3の経過後、時刻t6において再度スイッチ202をオフし、同時にスイッチ210をオンする。この状態では、媒体406の容量分Ｃへの充電は定電圧回路230の他、電源供給回路204からも行なわれる。本実施例では、定電圧回路230の内部インピーダンスは電源供給回路204のそれに比較して低く抑えられていることにより、このときの充電の立上りは主として定電圧回路230が支配的である。
【００３４】
このスイッチ202をオフしスイッチ210をオンしたときの電流モニタ220に流れる電流Ｉは、同図(D)に示す波形I1またはI2のように、加入者回路200から端末媒体406の方向を見たときの等価抵抗Rと等価容量Cの値に応じた指数関数的変化を示す。
【００３５】
たとえば、媒体406が電話機の場合、抵抗分R=0〜7.5kΩ、容量分C=0.25〜3μFであり、容量付モジュラジャックの場合では、抵抗分R=100kΩ、容量分C=0.27μFである。また、媒体406がが切分け機能付保安器であると、これが接続状態の場合、抵抗分R=510kΩ、容量分C=0.68μF程度、これに対して保安器制御にて切離し状態の場合は、内部抵抗Ｒが20kΩ、容量Ｃが5.4μF程度である。そこで、媒体406が電話機または容量付モジュラジャックであれば、そのモニタ電流は波形I1で示すように比較的急速に減衰し、また媒体406が切離し状態の切分け機能付保安器の場合は、そのモニタ電流は波形I2で示すように比較的緩慢に減衰する。
【００３６】
電流モニタ220は、モニタ電流Ｉを微分し、微分値Ｓを観測する。より詳細には、モニタ電流Ｉの立上り微分値S3および立下り微分値S4を導出し、両者の差分S3-S4を算出する。波形I3およびI4で例示するように、媒体406が電話機または容量付モジュラジャックであれば、モニタ電流Ｉの立上り微分値S31と立下り微分値S41の差分S31-S41が大きく、これに対して媒体406が切離し状態の切分け機能付保安器の場合は、モニタ電流Ｉの立上り微分値S32と立下り微分値S42の差分S32-S42が小さくなる。電流モニタ220の微分回路(図示せず)の出力には、ある閾値が設定され、微分電流値の差S3-S4がこの閾値を越える場合には、媒体406が切分け機能付保安器（切離し状態）であると判定され、閾値以下の場合には、電話機または容量付モジュラジャックであると判定される。
【００３７】
このように本実施例によれば、スイッチ202のオンオフ制御により、まず加入者回路系における加入者線の断線と、電話機または容量付モジュラジャックと、切分け機能付保安器とを識別し、さらにスイッチ210のオンオフ制御により電流微分値を検出して電流の立上りと立下りにおける微分値の差を検出することにより、電話機または容量付モジュラジャックと切分け機能付保安器（切離し）とを識別し、これによって従来困難であった断線、電話機、容量付モジュラジャック、切分け機能付保安器の接続および切離し状態のすべてを識別することが可能となった。
【００３８】
上述の実施例では、電話機または容量付モジュラジャックと切分け機能付保安器の切離し状態との識別であったが、本発明は、これのみに制限するものではなく、時定数の近似する媒体間の識別に一般的に広く応用することが可能である。
【００３９】
図には示されていないが、電圧モニタ222および電流モニタ220などを制御回路250によって制御するように構成し、上述した電圧の積分および電流の微分とそれらの差の算出を制御回路250の制御の下に自動的に遂行するように構成してもよい。
【００４０】
【発明の効果】
このように本発明によれば、まず、加入者回路系における両ライン端子の間の短絡、開放により、両ライン端子の間の電圧の積分値を検出する。この短絡を異なる長さの2つの期間について行なって、それぞれについて電圧積分値の差を検出し、これによって、加入者線の断線と、容量付モジュラジャックと、電話機または切分け機能付保安器とを識別する。さらに、定電圧を両ライン端子間に供給し開放して、その電流の立上りと立下りにおける微分値の差を検出して、電話機または容量付モジュラジャックと切分け機能付保安器（切離し）とを識別することによって、従来困難であった断線、電話機、容量付モジュラジャック、切分け機能付保安器の接続および切離しのすべての識別が可能となった。
【図面の簡単な説明】
【図１】本発明の実施例による加入者系システムの媒体識別回路の構成例を示す機能ブロック図である。
【図２】図１に示す実施例の制御動作を説明する波形図である。
【図３】従来の加入者回路の媒体識別に関連する構成を示す機能ブロック図である。
【図４】図3に示す従来例の制御動作を説明する波形図である。
【符号の説明】
108  加入者線
110A、110B  加入者回路ライン端子
200  加入者回路
202、210  スイッチ
204  電源電圧供給回路
206  電源VBB
220  電流モニタA
222  電圧モニタV
230  定電圧回路
240  接地
402  内部等価抵抗
406  媒体
【図１】
0003718175.tif 000002
【図２】
0003718175.tif 000003
【図３】
0003718175.tif 000004
【図４】
0003718175.tif 000005